(57)【要約】【課題】  低コストで飼育水の温度を制御でき且つ小型化を図ることのできる循環濾過養殖装置を提供する。【解決手段】  魚介類を飼育する飼育水槽１と、飼育水槽１から供給される飼育水に含まれる異物を除去する沈殿槽６及び沈殿槽６から供給される飼育水を微生物が付着した濾材１８で濾過することで飼育水に溶け込んだアンモニア成分を除去する濾過槽７とを少なくとも含む浄化槽群４と、浄化槽群４で処理された飼育水を所定温度に調整する水温調整部２３を少なくとも有する循環経路とを具備し、飼育水を循環経路に循環させながら利用する循環濾過養殖装置であって、浄化槽群４が飼育水槽１の外側に密接して設けられ、飼育水槽１の飼育水の最低水位よりも下側の領域が浄化槽群４によって覆われているようにする。【選択図】      図１
2005224217.tif 000002
【特許請求の範囲】
【請求項１】
魚介類を飼育する飼育水槽と、該飼育水槽から供給される飼育水に含まれる異物を除去する沈殿槽及び該沈殿槽から供給される前記飼育水を微生物が付着した濾材で濾過することで当該飼育水に溶け込んだアンモニア成分を除去する濾過槽とを少なくとも含む浄化槽群と、該浄化槽群で処理された前記飼育水を所定温度に調整する水温調整部とを少なくとも有する循環経路とを具備し、前記飼育水を前記循環経路に循環させながら利用する循環濾過養殖装置であって、
前記浄化槽群が前記飼育水槽の外側に密接して設けられていることを特徴とする循環濾過養殖装置。
【請求項２】
請求項１において、前記飼育水槽の少なくとも前記飼育水の最低水位よりも下側の領域が前記浄化槽群によって覆われていることを特徴とする循環濾過養殖装置。
【請求項３】
請求項１又は２において、前記浄化槽群は、前記飼育水槽の外周に沿って連続的に設けられる溝部が仕切板によって前記飼育水の流れ方向で仕切られることによって形成されていることを特徴とする循環濾過養殖装置。
【請求項４】
請求項３において、前記浄化槽群では、隣接する各槽に前記仕切板を越えて前記飼育水が流れ込み、当該仕切板の上部には、その幅方向に亘って複数の溝部が等間隔で設けられていることを特徴とする循環濾過養殖装置。
【請求項５】
請求項１〜４の何れかにおいて、前記飼育水槽と前記浄化槽群とを連結する連結管は、その一端が前記飼育水槽の底面に接続されていることを特徴とする循環濾過養殖装置。
【請求項６】
請求項１〜５の何れかにおいて、前記浄化槽群が、前記飼育水槽に連結される共通沈殿槽と、この共通沈殿槽の両側にそれぞれ設けられる前記沈殿槽及び前記濾過槽と、前記共通沈殿槽の両側に設けられた各濾過槽がそれぞれ連結されると共に前記水温調整部に接続される循環槽とで構成されていることを特徴とする循環濾過養殖装置。
【請求項７】
請求項６において、前記共通沈殿槽は、その底面側から前記飼育水が供給されて当該飼育水よりも比重の大きい異物を除去するものであり、前記沈殿槽は、底部側で連通する２つの濾過部からなり前記飼育水よりも比重の小さい異物を除去するものであることを特徴とする循環濾過養殖装置。
【請求項８】
請求項１〜７の何れかにおいて、前記濾過槽には、前記濾材に対応する領域に前記飼育水の流れを規制する整流板が設けられてその底部近傍のみで連通する第１及び第２の濾過部が形成され、当該濾過槽では、前記第１の濾過部の上部から流入した前記飼育水が前記第２の濾過部の上部から流出することを特徴とする循環濾過養殖装置。
【請求項９】
請求項１〜８の何れかにおいて、前記飼育水槽が円筒形状を有することを特徴とする循環濾過装置。
【請求項１０】
請求項１〜９の何れかにおいて、前記濾過槽内に配置されて前記飼育水に酸素を供給する酸素供給手段をさらに具備することを循環濾過養殖装置。
【請求項１１】
請求項１〜１０の何れかにおいて、前記浄化槽群から供給された前記飼育水を紫外線照射により殺菌する紫外線照射部をさらに具備することを特徴とする循環濾過養殖装置。
【請求項１２】
請求項１〜１１の何れかにおいて、前記浄化槽群から供給された前記飼育水に含まれる硝酸を除去する脱窒槽をさらに具備することを特徴とする循環濾過養殖装置。
【発明の詳細な説明】
【技術分野】
【０００１】
本発明は、一定量の飼育水を循環させながら一定期間利用して魚介類を飼育する循環濾過装置に関する。
【背景技術】
【０００２】
従来から、家庭での観賞魚飼育、海から離れた水族館での魚介類の展示、活魚料理店でのふぐ・ひらめ等の畜養においては、一般的に循環（濾過）式と呼ばれる方法で飼育が行われている。また、ウナギ等の淡水魚の畜養においても循環養魚と呼ばれる同様な飼育が行われている。
【０００３】
このような飼育方法に用いられる養殖装置では、一般的に、魚介類を飼育する飼育水槽と、この飼育水槽に貯留されている飼育水を浄化するための沈殿槽、濾過槽（アンモニア処理槽）等とを有し、これら沈殿槽、濾過槽等を介して飼育水を循環させることで、一定量の飼育水を比較的長期に亘って利用している（例えば、特許文献１参照）。また、このような養殖装置では、飼育水の温度を制御することで魚介類の成長を促している。具体的には、濾過槽等で濾過された飼育水を、例えば、ヒートポンプ等によって所定温度に調整して飼育水槽に供給することで、飼育水の温度を制御している。しかしながら、飼育水を所定の温度に維持するためには、ヒートポンプを駆動させるための電気代等、ランニングコストが非常に高いという問題がある。さらに、このような養殖装置では、飼育水槽と、沈殿槽、濾過槽等が完全に独立して設けられているため装置が大型化してしまうという問題もある。
【０００４】
【特許文献１】特開２０００−３１２５４２号公報（特許請求の範囲、第１図等）
【発明の開示】
【発明が解決しようとする課題】
【０００５】
本発明は、このような事情に鑑み、低コストで飼育水の温度を制御でき且つ小型化を図ることのできる循環濾過養殖装置を提供することを課題とする。
【課題を解決するための手段】
【０００６】
上記課題を解決する本発明の第１の態様は、魚介類を飼育する飼育水槽と、該飼育水槽から供給される飼育水に含まれる異物を除去する沈殿槽及び該沈殿槽から供給される前記飼育水を微生物が付着した濾材で濾過することで当該飼育水に溶け込んだアンモニア成分を除去する濾過槽とを少なくとも含む浄化槽群と、該浄化槽群で処理された前記飼育水を所定温度に調整する水温調整部とを少なくとも有する循環経路とを具備し、前記飼育水を前記循環経路に循環させながら利用する循環濾過養殖装置であって、前記浄化槽群が前記飼育水槽の外側に密接して設けられていることを特徴とする循環濾過養殖装置にある。
【０００７】
かかる第１の態様では、浄化槽群によって飼育水槽の保温性が向上し、飼育水の温度変化が抑えられる。これにより、水温調整部にかかる電気代等のランニングコストを大幅に削減することができる。
【０００８】
本発明の第２の態様は、第１の態様において、前記飼育水槽の少なくとも前記飼育水の最低水位よりも下側の領域が前記浄化槽群によって覆われていることを特徴とする循環濾過養殖装置にある。
【０００９】
かかる第２の態様では、飼育水槽の飼育水の温度変化をより確実に抑えることができる。
【００１０】
本発明の第３の態様は、第１又は２の態様において、前記浄化槽群は、前記飼育水槽の外周に沿って連続的に設けられる溝部が仕切板によって前記飼育水の流れ方向で仕切られることによって形成されていることを特徴とする循環濾過養殖装置にある。
【００１１】
かかる第３の態様では、飼育水槽の保温性が確実に向上する。
【００１２】
本発明の第４の態様は、第３の態様において、前記浄化槽群では、隣接する各槽に前記仕切板を越えて前記飼育水が流れ込み、当該仕切板の上部には、その幅方向に亘って複数の溝部が等間隔で設けられていることを特徴とする循環濾過養殖装置にある。
【００１３】
かかる第４の態様では、浄化槽群を構成する各槽に、飼育水が偏ることなく略均等に流れ込むため、飼育水を効率的且つ良好に浄化することができる。
【００１４】
本発明の第５の態様は、第１〜４の何れかの態様において、前記飼育水槽と前記浄化槽群とを連結する連結管は、その一端が前記飼育水槽の底面に接続されていることを特徴とする循環濾過養殖装置にある。
【００１５】
かかる第５の態様では、飼育水槽内の飼育水の水位を調整することで浄化槽群に飼育水が流れる。したがって、浄化槽群に飼育水を流すためにポンプ等を使用する必要がなく、ランニングコストを大幅に削減することができる。
【００１６】
本発明の第６の態様は、第１〜５の何れかの態様において、前記浄化槽群が、前記飼育水槽に連結される共通沈殿槽と、この共通沈殿槽の両側にそれぞれ設けられる前記沈殿槽及び前記濾過槽と、前記共通沈殿槽の両側に設けられた各濾過槽がそれぞれ連結されると共に前記水温調整部に接続される循環槽とで構成されていることを特徴とする循環濾過養殖装置にある。
【００１７】
かかる第６の態様では、飼育水槽の周囲に２系統の浄化槽群が形成されるため、飼育水を効率的に浄化することができる。
【００１８】
本発明の第７の態様は、第６の態様において、前記共通沈殿槽は、その底面側から前記飼育水が供給されて当該飼育水よりも比重の大きい異物を除去するものであり、前記沈殿槽は、底部側で連通する２つの濾過部からなり前記飼育水よりも比重の小さい異物を除去するものであることを特徴とする循環濾過養殖装置にある。
【００１９】
かかる第７の態様では、共通沈殿槽及び沈殿槽によって、飼育水に含まれるあらゆる異物を確実に除去することができる。
【００２０】
本発明の第８の態様は、第１〜７の何れかの態様において、前記濾過槽には、前記濾材に対応する領域に前記飼育水の流れを規制する整流板が設けられて底部近傍のみで連通する第１及び第２の濾過部が形成され、当該濾過槽では、前記第１の濾過部の上部から流入した前記飼育水が前記第２の濾過部の上部から流出することを特徴とする循環濾過養殖装置にある。
【００２１】
かかる第８の態様では、各濾過槽において飼育水が濾材を通過する時間が長くなるため、濾過槽を小型化しても飼育水のアンモニア成分を確実に除去できる。
【００２２】
本発明の第９の態様は、第１〜８の何れかの態様において、前記飼育水槽が円筒形状を有することを特徴とする循環濾過装置にある。
【００２３】
かかる第９の態様では、円筒形状の飼育水槽の外側に浄化槽群が設けられることで、飼育水槽の保温性がさらに向上する。
【００２４】
本発明の第１０の態様は、第１〜９の何れかの態様において、前記濾過槽内に配置されて前記飼育水に酸素を供給する酸素供給手段をさらに具備することを循環濾過養殖装置にある。
【００２５】
かかる第１０の態様では、酸素によって微生物が活性化され、飼育水のアンモニア成分が効率的に除去される。
【００２６】
本発明の第１１の態様は、第１〜１０の何れかの態様において、前記浄化槽群から供給された前記飼育水を紫外線照射により殺菌する紫外線照射部をさらに具備することを特徴とする循環濾過養殖装置にある。
【００２７】
かかる第１１の態様では、飼育水がさらに良好に浄化されるため、一定量の飼育水を比較的長期間に亘って利用できる。
【００２８】
本発明の第１２の態様は、第１〜１１の何れかの態様において、前記浄化槽群から供給された前記飼育水に含まれる硝酸を除去する脱窒槽をさらに具備することを特徴とする循環濾過養殖装置にある。
【００２９】
かかる第１２の態様では、飼育水がさらに良好に浄化されるため、一定量の飼育水を比較的長期間に亘って利用できる。
【発明を実施するための最良の形態】
【００３０】
以下、本発明を実施形態に基づいて説明する。図１は、本発明の一実施形態に係る飼育水槽及び浄化槽群の概略斜視図である。また、図２は、飼育水槽及び浄化槽群の上面図及び側面図であり、図３は、浄化槽群の展開図であり、図４は、浄化槽群の要部を示す断面図である。
【００３１】
図示するように、本発明の一実施形態に係る循環濾過養殖装置を構成する飼育水槽１は、例えば、略円筒形状を有し、その底部は逆円錐形状となっている。具体的には、飼育水槽１の底面の中央部には、飼育水槽１内の飼育水を排出するための排出口２が設けられこの排出口２には連結管３が連結されている。そして、この飼育水槽１の底面はこの排出口２に向かって傾斜する傾斜面となっている。なお、詳しくは後述するが、排出口２に接続される連結管３は、後述する浄化槽群の共通沈殿槽に接続される。
【００３２】
飼育水槽１の外周面には、飼育水槽１に密接して浄化槽群４が設けられている。この浄化槽群４は、飼育水槽１から循環される飼育水を浄化するためのものであるが、飼育水槽１内の飼育水の温度変化を抑える役割も果たしている。このため、浄化水槽群４は、飼育水槽１内の飼育水の最低水位よりも下側の領域を少なくとも覆うように飼育水槽１に密接して設けられていることが好ましい。
【００３３】
このような浄化水槽群４は、本実施形態では、共通沈殿槽５、沈殿槽６、濾過槽７及び循環槽８で構成されている。具体的には、飼育水槽１の外周に沿って設けられた溝が仕切板９で仕切られることにより、共通沈殿槽５、沈殿槽６、連続する二つの濾過槽７及び循環槽８が連続的に形成されている。そして、これらの共通沈殿槽５と循環槽８とが、飼育水槽１の外側の相対向する位置に一カ所ずつに設けられ、これら共通沈殿槽５と循環槽８との間には、沈殿槽６Ａ及び二つの濾過槽７Ａ，７Ｂと、沈殿槽６Ｂ及び二つの濾過槽７Ｃ，７Ｄとが設けられている。すなわち、飼育水槽１の外側には、飼育水が循環する２系統の浄化槽群４Ａ，４Ｂが形成されている。
【００３４】
共通沈殿槽５の底部には、飼育水槽１に連結された連結管３の一端が接続されている。このため、共通沈殿槽５内の飼育水の水位は、飼育水槽１内の飼育水の水位の変化に伴って変化し、常に飼育水槽１内の飼育水とほぼ同等の水位となる。また、共通沈殿槽５は、沈殿槽６等の他の槽よりも深く形成されており、その上端部近傍には、各沈殿槽６（６Ａ，６Ｂ）側にそれぞれ開口する複数の開口部１０を有する（図１参照）。
【００３５】
そして、飼育水槽１内の飼育水の水位上昇に伴って、共通沈殿槽５内の飼育水の水位が上昇し飼育水の水面が開口部１０に達すると、共通沈殿槽５内の飼育水は開口部１０から各沈殿槽６に流れ込むようになっている。このとき、共通沈殿槽５では、飼育水に含まれる異物、具体的には、魚介類の飼育に伴って発生する糞などの飼育水よりも比重の大きい異物が沈降することで除去され、異物が除去された飼育水のみが開口部１０から各沈殿槽６に流れ込む。
【００３６】
沈殿槽６には、沈殿槽６の深さ方向中央部から上部側に整流板１１が設けられている。また、この整流板１１の上端は、沈殿槽６内の最高水位よりも上側に位置しており、沈殿槽６に流れ込んだ飼育水が、常に整流板１１の下側を通過するようになっている。共通沈殿槽５の開口部１０から沈殿槽６に飼育水が流れ込むと、比重が比較的小さく飼育水の水面近傍に漂う浮遊懸濁物等の異物が、整流板１１の下側を通過することなくトラップされる。そして、比較的比重の小さい異物が除去された飼育水のみが、仕切板９を越えて濾過槽７（７Ａ，７Ｃ）に流れ込むようになっている。
【００３７】
なお、このような沈殿槽６と濾過槽７との間等に設けられる各仕切板９の上部には、図５に示すように、例えば、Ｖ字形状の複数の溝部１２が、その幅方向に亘って略等間隔で設けられている。これにより、飼育水がこれらの溝部１２から隣接する槽に流れ込むようにして、飼育水の流れが偏るのを防止している。また、各仕切板９はその高さが上流側ほど高くなるように形成されて、浄化槽群４での飼育水の逆流が防止されている。
【００３８】
各濾過槽７（７Ａ〜７Ｄ）には、それぞれの中央部に、底部近傍を除いて整流板１３が設けられており、各濾過槽７は、この整流板１３によって第１及び第２の濾過部１４，１５に仕切られている。この整流板１３の上端は、濾過槽７の最高水位よりも上側に位置するため、濾過槽７内の飼育水は、常にこの整流板１３の下側を通過するようになっている。また、整流板１３の下端部近傍の領域には、図４に示すように、濾過槽７の底面を覆うメッシュ状の第１のフィルタ１６が固定されている。なお、この第１のフィルタ１６と濾過槽７の底面との間には、第１及び第２の濾過部１４，１５に連続する空間部１７が形成されている。そして、この第１のフィルタ１６上に所定量の濾材１８が充填され、またこの濾材１８上には、メッシュ状の第２のフィルタ１９が設けられている。
【００３９】
ここで、濾材１８としては、例えば、ポリビニルアルコール（PVA）、光硬化性ポリビニルアルコール（PVA-SbQ）、ポリエチレングリコール（PEG）等の合成高分子で海洋硝化細菌を固定化したもの等が挙げられる。すなわち、濾過槽７では、好気性のバクテリアの働きにより毒性の高い魚介類の排泄物のアンモニアが亜硝酸を経由して毒性の低い硝酸に酸化される。このため、本実施形態では、濾過槽７内の空間部１７に、例えば、エアーストン等を用いて酸素（空気）の比較的細かい泡を供給する酸素供給手段２０を設けるようにしている。これにより、飼育水のアンモニア成分がバクテリアによって効率的に硝酸に酸化されるようになる。
【００４０】
そして、沈殿槽６（６Ａ，６Ｂ）の飼育水が仕切板１３の上部を越えて隣接する濾過槽７（７Ａ，７Ｃ）に流れ込むと、まず第１の濾過部１４の濾材１８等を上部側から空間部１７に向かって通過し、空間部１７を介して第２の濾過部１５に流れ込む。そして、第２の濾過部１５に流れ込んだ飼育水は、第２の濾過部１５の濾材１８等を底部側から通過することで濾過される。すなわち、飼育水のアンモニア成分が硝酸に酸化される。そして、飼育水は、仕切板９を越えて連続する濾過槽７（７Ｂ，７Ｄ）に流れ込み、濾過槽７Ｂ，７Ｄにおいても同様に濾過されてアンモニア成分がほぼ完全に酸化された後、仕切板９を越えて循環槽８に流れ込む。
【００４１】
濾過槽７をこのような構成とすることで、飼育水が濾材１８を通過する時間が長くなり、飼育水中のアンモニア成分が確実に硫酸に酸化される。また、性能を低下させることなく濾過槽７を小型化することができる。
【００４２】
なお、循環槽８には、その底部近傍に連通管２１が接続されており、２系統の各浄化槽群４を構成する各濾過槽７Ｂ，７Ｄの飼育水は、この循環槽８に一旦プールされてから連通管２１を介して外部に排出される。例えば、本実施形態では、図６に示すように、連通管２１の一端は、循環ポンプ２２を介して水温調整部２３に接続されている。この水温調整部２３は、例えば、ヒートポンプ等の水温調整手段２４が設けられている。そして、循環部８にプールされた飼育水は、循環ポンプ２２によって連通管２１を介して水温調整部２３に送られ、水温調整手段２４によって冷却又は加熱することで対象生物の成育に適した水温に調整される。そして、所定温度に調整された飼育水が、その後、吐水管２５を介して飼育水槽１に再び供給される。
【００４３】
このように本実施形態の循環濾過養殖装置では、飼育水槽１内の飼育水を、共通沈殿槽５、沈殿槽６、濾過槽７、循環槽８及び水温調整部２３の順で、所定速度、例えば、１時間あたり０．８回程度の速度で循環させている。これにより、一定量の飼育水を浄化させながら利用して、比較的長期間に亘って魚介類を飼育することができる。
【００４４】
また、本発明の構成では、浄化水槽群４が円筒形状の飼育水槽１の外周面に密接して設けられて断熱材の役割を果たしているため、飼育水槽１内の飼育水の温度低下が大幅に抑えられる。例えば、従来の装置と比較して、約１．５倍〜２倍程度、飼育水槽１の保温性が向上する。これにより、水温調整部２３（水温調整手段２４）の使用時間、あるいは使用頻度を大幅に減少することができ、電気代等のランニングコストを大幅に削減できる。
【００４５】
また、このような構成では、上述したように飼育水槽１内の飼育水の水位の変化に伴って浄化水槽群４内の飼育水の水位も変化して、浄化水槽群４に自動的に飼育水が流れる。このため、浄化水槽群４に飼育水を流すためのポンプが必要なく、飼育水を循環させるために使用する電力量も大幅に削減することができる。また、装置全体を大幅に小型化することができるため、装置の他の部分を作動させるための電力量も大幅に削減することができる。なお、装置全体を小型化することで、比較的狭い場所であっても比較的容易に設置することができるという効果もある。
【００４６】
さらに、本実施形態では、上述したように飼育水槽の周囲に２系統の浄化水槽群が設けられている。このため、養殖密度、すなわち、飼育水の水質状態に応じて使用する濾過層の容量を簡単に変更することができ、例えば、比較的水質が良好である場合には、１系統の浄化水槽群のみを使用するようにすればよい。また、２系統の浄化水槽群を設けることで、１系統のみを使用しながら一方の浄化水槽群の使用を停止して清掃することができる。したがって、常時運転が可能となり、飼育水の水質を常に良好に維持することができる。
【００４７】
ここで、本発明に係る循環濾過養殖装置と、飼育水槽と浄化槽群とが別々に設けられた従来の循環濾過養殖装置とで、７月〜翌年１２月までの１８ヶ月間の電気代を試算した。その結果、従来の循環濾過養殖装置では、約９０万円程度かかるのに対し、本発明の循環濾過養殖装置では、約４５万円以下であり従来の約半分以下に抑えられることが分かった。
【００４８】
以上本発明の一実施形態について説明したが、本発明はこの実施形態に限定されるものではないことは言うまでもない。例えば、本実施形態では、飼育水槽１及び浄化水槽群４の上部は開口となっているが、勿論、これら飼育水槽１及び浄化水槽群４の上部に蓋を設けるようにしてもよい。これにより、飼育水の保温性が向上するため、ランニングコストをさらに削減することができる。なお、浄化水槽群４の上部に設ける蓋の材料は特に限定されないが、飼育水槽１の上部に設ける蓋は、光を透過する材料、例えば、透明な樹脂フィルム等で形成するのが好ましい。
【００４９】
また、例えば、図７に示すように、飼育水の循環経路に、例えば、ＵＶランプ等の照射手段２６を有する紫外線照射部２７を設けるようにしてもよい。この紫外線照射部２７で飼育水に紫外線を照射することで、飼育水が殺菌されると共に、飼育水中の有機物が分解される。すなわち、飼育水の水質が向上するため、一定量の飼育水をより長期間利用することができる。さらに、例えば、濾過槽７でアンモニア成分が酸化されて生成される硝酸を窒素ガスとして除去する脱窒槽２８を設けるようにしてもよい。この脱窒槽２８を設けることで飼育水の水質が大幅に向上するため、一定量の飼育水をさらに長期間に亘って利用することができる。なお、このような脱窒槽２８が設けられていない場合には、約半年に一回程度の割合で、飼育水の一部を入れ替える必要がある。
【図面の簡単な説明】
【００５０】
【図１】本発明の一実施形態に係る飼育水槽及び浄化槽群の概略斜視図である。
【図２】本発明の一実施形態に係る飼育水槽及び浄化槽群の上面図及び側面図である。
【図３】本発明の一実施形態に係る浄化槽群の展開図である。
【図４】本発明の一実施形態に係る浄化槽群の要部を示す断面図である。
【図５】本発明の一実施形態に係る仕切板を説明する図である。
【図６】本発明の一実施形態に係る循環濾過養殖装置の構成概略図である。
【図７】本発明に係る循環濾過養殖装置の他の構成を示す概略図である。
【符号の説明】
【００５１】
１  飼育水槽
２  排水口
３  連結管
４  浄化槽群
５  共通沈殿槽
６  沈殿槽
７  濾過槽
８  循環槽
９  仕切板
１１、１３  整流板
１２  溝部
１４  第１の濾過部
１５  第２の濾過部
１６  第１のフィルタ
１７  空間部
１８  濾材
１９  第２のフィルタ
２０  酸素供給手段
２１  連通管
２２  循環ポンプ
２３  水温調整部
２５  吐出管
【図１】
2005224217.tif 000003
【図２】
2005224217.tif 000004
【図３】
2005224217.tif 000005
【図４】
2005224217.tif 000006
【図５】
2005224217.tif 000007
【図６】
2005224217.tif 000008
【図７】
2005224217.tif 000009